(57)【要約】  【課題】ランバーサポートの突出量及び高さ位置の調整機能をより簡素な構造を通じて実現し、着座したままで簡単に操作できるようにした椅子を提供する。  【解決手段】ランバーサポート４を備えた椅子において、前記ランバーサポート４を支軸６に軸着し、この支軸６を回転させることでランバーサポート４の外周に形成したサポート面Ｓの支軸６からの突出量を変化させ得るように構成するとともに、支軸６を上下移動可能とし且つその支軸６を背凭れ３の左右の縁部近傍に位置づけた操作部７から回転操作及び上下移動操作可能とした。  【選択図】図１０
2007130352.tif 000002
【特許請求の範囲】
【請求項１】
ランバーサポートを備えた椅子において、前記ランバーサポートを支軸に軸着し、この支軸を回転させることでランバーサポートの外周に形成したサポート面の支軸からの突出量を変化させ得るように構成するとともに、支軸を上下移動可能とし且つその支軸を背凭れの左右の縁部近傍に位置づけた操作部から回転操作及び上下移動操作可能としたことを特徴とする椅子。
【請求項２】
支軸を上下方向にガイドするガイド部を有し、ランバーサポートが受圧した際に支軸をガイド部の対応部位に押し付けて当該支軸の上下方向及び回転方向の静止摩擦抵抗を増大させるようにしている請求項１記載の椅子。
【請求項３】
ガイド部が長孔状のものであり、長孔の上端に係合する位置と下端に係合する位置との間に支軸の上下移動範囲を規制している請求項２記載の椅子。
【請求項４】
ガイド部を左右一対に設け、これらのガイド部に、支軸の平行移動を誘導するクリックストップ部分を設けている請求項３記載の椅子。
【請求項５】
クリックストップ部分が、水平方向に延びる部分円筒面である請求項４記載の椅子。
【請求項６】
ガイド部の内部若しくは側方に支軸をクリックストップ部分に向けて押し付ける板状の弾性体を配置している請求項４又は５記載の椅子。
【請求項７】
ガイド部自体を弾性変形させて支軸をクリックストップ部分に押し付けるようにしている請求項４又は５記載の椅子。
【請求項８】
背凭れの背面に、弾性変形可能なランバー領域を有する背凭れインナーシェルを設け、背支桿に、前記ランバー領域の側方に対応させてガイド部の外壁を固定して支軸を支持させるとともに、前記ランバー領域に対応させてランバーサポートを位置づけている請求項２〜７記載の椅子。
【請求項９】
背凭れの背面に、弾性変形可能なランバー領域を有する背凭れインナーシェルを設け、そのランバー領域の側方にガイド部の外壁を固定して支軸を支持させるとともに、前記ランバー領域にランバーサポートを位置づけている請求項２〜７記載の椅子。
【請求項１０】
支軸を操作部を介し軸方向に移動可能としてランバーサポートを同方向に変位させ得るように構成している請求項１〜９記載の椅子。
【請求項１１】
支軸を操作部を介し斜めに傾斜可能としてランバーサポートを同方向に傾け得るようにしている請求項１〜３記載の椅子。
【発明の詳細な説明】
【技術分野】
【０００１】
本発明は、簡易なランバーサポート調整機能を備えた椅子及びそのランバーサポートに関するものである。
【背景技術】
【０００２】
ランバーサポートは、着座者の背中や腰椎を押圧することにより疲労を防ぎ、或いは疲労回復を図るものであり、背凭れに付帯して設けられることが多い。この場合、着座者の体格や体の状態等によって望ましい押圧力や高さが異なることから、特許文献１等に示すように、ランバーサポートが突出量及び高さ位置を変更できるように構成したものも知られている。
【特許文献１】実公平６−４７５３号公報
【発明の開示】
【発明が解決しようとする課題】
【０００３】
ところが、かかる特許文献のものは、背凭れの側方に配置した操作部を通じ支軸を回転することでランバーサポートの突出量を変更可能にし、かつ、これらの機構部品全体を背凭れの幅方向中央を縦断する位置に設けたねじ送り機構に取り付けて、背凭れの上端部に取り付けた操作部を通じて上下動させることによりランバーサポートの高さ調整機能を実現している。このため、全体が大掛かりで部品点数も多く、コスト増が避けられない上に、ランバーサポートを適切な位置に配置するまでに少なくとも２箇所の操作を交互に操作しなければならず、特に背凭れの上端部の操作部は離席しての操作が必要になる場合も考えられる。
【０００４】
本発明は、このような課題に着目してなされたものであって、ランバーサポートの突出量及び高さ位置の調整機能をより簡素な構造を通じて実現し、着座したままで簡単に操作できるようにした椅子を提供しようとするものである。
【課題を解決するための手段】
【０００５】
本発明は、かかる目的を達成するために、次のような手段を講じたものである。
【０００６】
すなわち、本発明の椅子は、ランバーサポートを備えたものにおいて、前記ランバーサポートを支軸に軸着し、この支軸を回転させることでランバーサポートの外周に形成したサポート面の支軸からの突出量を変化させ得るように構成するとともに、支軸を上下移動可能とし且つその支軸を背凭れの左右の縁部近傍に位置づけた操作部から回転操作及び上下移動操作可能としたことを特徴とする。
【０００７】
このように構成すれば、着座者が着座したまま操作部を把持してダイレクトに操作することができるため、構造簡素な上に、体感しながらランバーサポートを最適位置、最適突出量に調整することが可能となる。しかも、回転操作は左右の操作部で半分づつ分担すればよいため、着座状態でも無理なく操作することが可能となる。
【０００８】
ランバーサポートを調節位置に簡素に安定保持するためには、支軸を上下方向にガイドするガイド部を有し、ランバーサポートが受圧した際に支軸をガイド部の対応部位に押し付けて当該支軸の上下方向及び回転方向の静止摩擦抵抗を増大させるようにしておくことが望ましい。
【０００９】
手探りでの操作を有効に補助するためには、ガイド部を長孔状のものとし、長孔の上端に係合する位置と下端に係合する位置との間に支軸の上下移動範囲を規制しておくのが好適である。
【００１０】
支軸を適切に移動させるためには、ガイド部を左右一対に設け、これらのガイド部に、支軸の平行移動を誘導するクリックストップ部分を設けておくことが効果的である。
【００１１】
より高い誘導効果を得るためには、そのクリックストップ部分が、水平方向に延びる部分円筒面であることが望ましい。
【００１２】
このようなクリックストップ機能を適切に作動させるためには、ガイド部の内部若しくは側方に支軸をクリックストップ部分に向けて押し付ける板状の弾性体を配置しておくことが好ましい。
【００１３】
より簡素な構造としては、ガイド部自体を弾性変形させて支軸をクリックストップ部分に押し付け、弾性付勢力を発現させるようにしているものが好適である。
【００１４】
背支桿側に支軸、ガイド部及びランバーサポートを付帯させるための有効な構造としては、背凭れの背面に、弾性変形可能なランバー領域を有する背凭れインナーシェルを設け、背支桿に、前記ランバー領域の側方に対応させてガイド部の外壁を固定して支軸を支持させるとともに、前記ランバー領域に対応させてランバーサポートを位置づけるようにしておくのがよい。
【００１５】
逆に、背凭れ側に支軸、ガイド部及びランバーサポートを付帯させるための有効な構造としては、背凭れの背面に、弾性変形可能なランバー領域を有する背凭れインナーシェルを設け、そのランバー領域の側方にガイド部の外壁を固定して支軸を支持させるとともに、前記ランバー領域にランバーサポートを位置づけるようにしておくのがよい。
【００１６】
他の望ましい調節機能としては、支軸を操作部を介し軸方向に移動可能としてランバーサポートを同方向に変位させ得るようにしているものが挙げられる。
或いは、支軸を操作部を介し斜めに傾斜可能としてランバーサポートを同方向に傾け得るようにしているものも好適である。
【発明の効果】
【００１７】
本発明は、以上説明した構成であるから、ランバーサポートの突出量及び高さ位置の調整機能をより簡素な構造を通じて実現し、着座したままで簡単に操作できるようにした新規有用な椅子を提供することが可能となる。
【発明を実施するための最良の形態】
【００１８】
以下、本発明の一実施形態を、図面を参照して説明する。
【００１９】
図１及び図２に示す本実施形態の椅子は、背支桿１に背支持装置２を介して背凭れ３を支持するものであり、その背支持装置２は、座８に着座した着座者の側方ないし斜め後方へのねじり動作や側方への倒れ動作に適合すべく、背凭れ３を同方向に可動に支持する機能を備えている。また、この椅子はランバーサポート４を備え、そのランバーサポート４を簡単な構造及び操作を通じて所望の突出量、高さ位置にダイレクトに調節できるようにしている。
【００２０】
具体的に説明すると、背支桿１は対をなして後上方に突設され、その突出端にブラケット１１を介してバックアップ部材１２を横架してなるもので、このバックアップ部材１２は図３等に示すように前面をバックアップ面１２ａとする金属板状をなし、中央の平坦部１２ｘに隣接させて、左右の端部に至る領域に塑性変形加工によって所定曲率の湾曲部１２ｙを形成している。また、背支桿１の腰椎対応付近には、ブラケット１３を介して図２及び図４等に示す軸受部材１４が取り付けてある。この軸受部材１４は、略上下方向に延びる長孔１４１ａを開口させた立壁１４１を有し、この立壁１４１を背凭れ３の下方側縁に対向する部位に位置づけている。
【００２１】
一方、背凭れ３は、図１及び図２等に示すように、弾性を有する比較的硬質な樹脂製の背凭れインナーシェル３１の前面側に図示しないクッション材を貼着し、その上より張地３３を背面に亘る部位まで被覆したもので、背凭れインナーシェル３１の成形時に、バックアップ部材１２の対応部位に図３及び図５等に示す可動部材３４を一体成形している。この可動部材３４は後面を可動面３４ａとする板状をなし、中央の平坦部３４ｘに隣接させて、左右の端部に至る領域に前記バックアップ面１２ａよりも大きい所定曲率の湾曲部３４ｙを形成している。そして、この可動面３４ａを前記バックアップ面１２ａに対面する位置に配置している。すなわち、バックアップ面１２ａと可動面３４ａとの対向距離ｄは、湾曲部１２ｙ、３４ｙにおいて中心から幅方向へ変位するにつれて漸次広がる関係をなすように設定してあり、両面１２ａ、３４ａが添接した状態で可動面３４ａがバックアップ面１２ａに対して例えば図３→図５のように接触位置を変えつつ転動し、背凭れ３が図５において矢印で示すように向きを変え得るようにしている。
【００２２】
また、本実施形態は、図２、図３、図６及び図７等に示すように、背凭れインナーシェル３１の成形時に可動部材３４に連続する位置に断面アングル状の補助部材３５を一体成形している。この補助部材３５は、可動面３４ａとの間に所定の空隙Ｐ（図７参照）を形成する位置に規制面３５ａを設けたもので、規制面３５ａは幅方向中央から端部に至る領域に後方に凸となる緩やかな曲面を２つ連接した形態をなし、前記空隙Ｐは下方に解放されている。そして、これら可動部材３４及び補助部材３５をバックアップ部材１２に上方から被せることによって、可動面３４ａと規制面３５ａとの空隙Ｐ内にバックアップ面１２ａを相対揺動可能に収容している。すなわち、可動面３４ａが揺動していない図３の状態では、バックアップ面１２ａと規制面３５ａとの間の少なくとも幅方向中央以外の部分にクリアランスＣを確保し、図５に示す揺動端で規制面３５ａをバックアップ面１２ａに当接させてそれ以上の可動面３４ａの揺動を規制するようにしている。図においては規制面３５ａの端縁３５ａｘがバックアップ面１２ａに局所的に当接しているが、湾曲に沿って幅広く当接させるようにしてもよい。また、バックアップ面１２ａと規制面３５ａとの間における前記幅方向中央部に、ウレタン等の圧縮性素材やバネ素材等からなる付勢手段３６を介在させており、これにより補助部材３５を後方に付勢して、可動面３４ａをバックアップ面１２ａに押し付けるようにしている。
【００２３】
さらに、この背凭れ３には、図２及び図４等に示すように、下端近傍の右側縁部及び左側縁部に回動支点となり得る基点たる軸部３７を、前記背支桿１側に設けた軸受部材１４の略上下方向に延びる長孔１４１ａに貫通させた上で固定しており、長孔１４１ａの下端を軸受部１４ｘとして利用して、背反的に左右の軸部３７の何れか一方を回動支点、他方を遊動点とすることによって、図４に想像線で示すように背凭れ３に左右への回動動作を行わせ得るようにしている。そして、遊動点となる軸部３７を軸受部１４ｘから解離し、長孔１４１ａに沿って当該長孔１４１ａの上端まで遊動させ得るようにしている。また、本実施形態では前記軸部３７をボルト状のものにして止着具としての役割を兼ねさせており、立壁１４１に向かって締め着けることによって背凭れ３を選択的に軸受部材１４に傾動不能に固定し得るようにしている。
【００２４】
このように構成される背凭れ３は、傾動可能な状態下にあっても下方を背支桿１側に前記軸部３７及び軸受部材１４を介して少なくとも前後方向に固定されるが、上方は前記可動面３４ａが少なくともバックアップ面１２ａに前後方向に添接する以外に基本的に拘束を受けない。このため、着座者から背凭れ３に対して中心から幅方向へ変位した位置に図５に矢印Ｗで示すような偏った荷重が作用した場合に、主として背凭れ３を構成する背凭れインナーシェル３１の弾性を利用して当該背凭れ３の上方を下方に対してねじり変形させつつ、可動面３４ａをバックアップ面１２ａに対して接触部分を移動させながら転動させ、バックアップ面１２ａとともに背凭れ３の上部の向きを左右に変更することとなる。
【００２５】
また、着座者が右肩上がりの挙動若しくは右肩下がりの挙動を行い、背凭れ３に背面視右回り又は左回りに旋回する方向の付勢力（例えば図４における矢印Ｔ）が作用した場合には、軸部３５及び軸受部材１４を介して背凭れ３が回動し、その幅方向中央を縦断する中心線ｍを図４に想像線で示すように着座者の右肩上がりの挙動若しくは右肩下がりの挙動に追従させて傾倒させ得るようにしている。適宜の部位に樹脂バネ等を配置して傾倒した背凭れ３を通常位置に復帰させるようにしてもよい。
【００２６】
このような構成に加えて、背支桿１の腰椎対応部分には、図２等に示すように、前記ブラケット１３を利用してランバーサポート４を位置決めし且つ上下方向にガイドするための本発明に係るガイド部たるガイド部材５が取り付けてある。このガイド部材５は樹脂製のもので、図８に示すように前後に対をなす対向壁５１、５２の間に形成した長孔５ａにランバーサポート軸着用の金属製の支軸６を挿通して上下移動させ得るものであり、その一部が支軸６と協働してランバーサポート４に対する上下位置決め機構Ａを構成している。
【００２７】
この上下位置決め機構Ａは、前記支軸６と、この支軸６を係合させるべく前記ガイド部材５の対向壁５２の前向き面に上下方向に沿って間欠位置に設けた部分円筒状の凹所５３とからなるもので、この凹所５３において対向壁５１，５２間を前後方向に拡開させている。
【００２８】
そして、ガイド部材５の一部、具体的には前方の対向壁５１の幅方向中間位置に設けた板状の弾性体５４を、支軸６の挿通方向から見た場合に長孔５ａを狭める位置に配しており、これにより支軸６が何れの凹所５３に係合した状態にあっても図９（ａ）に示すように当該支軸６を凹所５３に向けて弾性付勢するとともに、同図（ｂ）に示すように弾性体５４に抗して凹所５３、５３間を支軸６が移動し得るようにしている。かかる上下位置決め機構Ａの弾性体５４は、支軸６を凹所５３に押し付けることで支軸６に回転抵抗を付与し、回り難くして、ランバーサポート４の上下位置のみならず回転角度をも仮保持する作用をなしている。
【００２９】
一方、背凭れ３側は、図１及び図２等に示すように、前記背凭れインナーシェル３１のうちランバー領域３１ａにＵ字形のスリット３１ｂを設けて弾性変形可能としており、前記ガイド部材５の外壁をそのランバー領域３１ａの側方に対応させて背支桿１に固定し、ランバー領域３１ａに対応させてランバーサポート４を位置づけている。すなわち、ランバーサポート４はこのランバー領域３１ａを弾性変形させながらクッション材３２を前方に押圧する位置に配される。勿論、背凭れインナーシェル３１の一部を切除して弾性変形可能な樹脂板を配置することで対応する構造を妨げるものではない。
【００３０】
このような構成により、支軸６が上下移動すれば、凹所５３ごとに支軸６が係合してその高さ方向の位置決めがなされることになる。凹所５３は弾性体５４より付勢される方向に存するため、着座者から背凭れ３に荷重を掛ければ、支軸６はより強く凹所５３に押し付けられて係合する。
【００３１】
そして、かかる支軸６の左右両端に、背凭れ３の左右の縁部近傍に位置づけて図１及び図１０に示すグリップ状の操作部７を設け、着座者が着座した状態で腕を後方に回して左右の操作部７を把持し、これにより支軸６の上下移動操作をなし得るようにしている。
【００３２】
このとき、支軸６が上下方向に移動するにつれて間欠的に左右の凹所５３に係合し、係合する度に支軸６がクリックストップしてクリック感が支軸６を介して体感されるため、上記支軸６と凹所５３との係合は位置決め機能と別の見方をすれば支軸６の水平を保ちながら移動させるための手掛かりとなるものである。また、前述した凹所５３は水平に延びる部分円筒面をなしているため、この凹所５３の形状も支軸６を水平に誘導する手掛かりを与え得る。
【００３３】
他方、この実施形態におけるランバーサポート４は、図２等に示すように、角柱状のブロック部４１と、このブロック部４１の柱軸ｎから変位した部位に形成した支軸取付部４２とを樹脂一体成形してなるもので、この支軸取付部４２に支軸６を軸着するためのねじ等による回り止め部４３を設け、各ブロック部４１の略平坦な面を図１２（ａ）〜（ｄ）に示すようなサポート面Ｓ（Ｓ（１）、Ｓ（２）、Ｓ（３）、Ｓ（４））となすとともに、隣接するサポート面Ｓ、Ｓ間に角丸部Ｒを設けている。そして、その支軸取付部４２に前記支軸６を取り付け、回り止め部４３で両者を一体回転可能に固定している。
【００３４】
すなわち、各サポート面Ｓは、所定回転位置で図１１（ａ）に示すように仮に均等に荷重Ｆを受ける受圧面となっている状態で、同図（ｂ）に矢印Ｖで示すようにランバーサポート４が回転変位しようとすると、その回転により前方に移動する領域（図ではサポート面Ｓの下半部）が背凭れ３に接近して、回転により後方に移動する領域（サポート面Ｓの上半部）よりも優先して荷重Ｆの受圧を負担する。換言すれば、各サポート面Ｓが受圧面となるとき、支軸６からの距離が最も小さい部位を受圧の中心位置とする姿勢でランバーサポート４は安定し、そこからランバーサポート４が支軸６からの距離を増大させる方向に回転しようとすると、着座者からランバーサポート４に対してその距離を小さくする方向の押圧力が発生するため、ランバーサポート４は安定方向に戻ろうとし、結果的にランバーサポート４を前記所定回転位置に安定保持する作用が営まれる。そして、図１２に示すようにサポート面Ｓの支軸６からの距離Ｌ（Ｌ（１）、Ｌ（２）、Ｌ（３）、Ｌ（４））が基本的に異なるため、何れのサポート面Ｓ（Ｓ（１）、Ｓ（２）、Ｓ（３）、Ｓ（４））が受圧面になるかによって、サポート面Ｓの突出量（すなわちＬ）を変化させ得るようにしている。
【００３５】
そして、前述した操作部７を着座したまま両手で把持して回転操作を加えた場合には、支軸６とともにランバーサポート４が回転して、所望のサポート面Ｓが選択可能となる。
【００３６】
なお、着座者から背凭れ３に荷重が掛からない状態で、最も突出量の小さいサポート面Ｓ（３）が受圧面となったときでも背凭れ３の背面の樹脂板３１ａが押圧されてクッション材３２がやや圧縮された状態にあるように、支軸６の位置を規定している。また、サポート面Ｓ（２）とＳ（４）とは支軸６の設定上、そこからの距離Ｌ（２）、Ｌ（４）が本実施形態では同距離となっているが（図１２における（ｂ）、（ｄ）参照）、これらが受圧面となるときの支軸６を基準とした高さ位置が異なるため、回転を利用した簡便な高さ位置変更機能を有するものということができる。
【００３７】
なお、図示しないが、背支桿１には当該背支桿１や背凭れ３の背面に付帯する機構部品を隠蔽するアウターシェルが取り付けられる。このアウターシェルの一形態として、その内側の一部に背凭れ１に向かって周回状に突出する壁部を有し、その壁部の外壁であって後方から隠蔽可能な位置に背支桿を配置するとともに、内側の空洞に前述した機構部品を収容する構造が考えられるが、この場合、前述した張地３３の背凭れ背面への巻き込みは、その壁部の周囲に密着させてこれを包囲するような状態で取り付けることが好適である。
【００３８】
以上のように、本実施形態の椅子は、ランバーサポート４を備えた椅子において、前記ランバーサポート４を支軸６に軸着し、この支軸６を回転させることでランバーサポート４の外周に形成したサポート面Ｓの支軸６からの突出量を変化させ得るように構成するとともに、支軸６を上下移動可能とし且つその支軸６を背凭れ３の左右の縁部近傍に位置づけた操作部７から回転操作及び上下移動操作可能としたものである。
【００３９】
このようにすると、構造簡素な上、着座したまま手を後ろに回し、操作部７を把持してダイレクトに支軸６を操作することができるので、体感しながらランバーサポート４を最適位置、最適角度に的確かつ速やかに調整することが可能となる。しかも、回転操作は左右の操作部７で半分づつ負担すればよいため、手動操作式であっても操作力を有効に軽減することが可能となる。
【００４０】
特に、支軸６を上下方向にガイドするガイド部材５を有し、ランバーサポート４が受圧した際に支軸６をガイド部材５の対応部位に押し付けて当該支軸６の上下方向及び回転方向の静止摩擦抵抗を増大させることができるため、着座者から背凭れ３に掛かる荷重を利用してランバーサポート４を固定することができ、上下位置決め機構Ａを図示のような極めて簡素なもので賄うことが可能となる。
【００４１】
そのガイド部材５は、長孔５ａを有し、当該長孔５ａの上端に係合する位置と下端に係合する位置との間に支軸６の上下移動範囲を規制しているため、手探りで操作する際にたとえ過剰操作が行われても支軸６が脱落する事態を有効に防止することができる。
【００４２】
また、そのガイド部材５を左右一対に設け、これらのガイド部材５に設けた凹所５３を、支軸６の平行移動を誘導するクリックストップ部分として機能させることができるため、左右の操作部７に伝わるクリック感を頼りに水平を保ちながら支軸６を適切に上下移動させることができる。
【００４３】
特に、そのクリックストップ部分である凹所５３が、水平方向に延びる部分円筒面からなるため、クリックストップ部分それ自体に水平保持機能が備わり、支軸６の平行状態をより有効に誘導することができる。
【００４４】
さらに、ガイド部材５の一部に支軸６をクリックストップ部分として機能する凹所５３に押し付ける板状の弾性体５４を配置しているため、支軸６がどの位置にあっても板状の弾性体５４を介して支軸６をクリックストップ部分に適切に係合させることができ、上記の作用効果を的確に奏させることができる。
【００４５】
以上において、背凭れ３の背面に、弾性変形可能なランバー領域３１ａを有する背凭れインナーシェル３１を設け、背支桿１に、前記ランバー領域３１ａの側方に対応させてガイド部材５の外壁を固定して支軸６を支持させるとともに、前記ランバー領域３１ａに対応させてランバーサポート４を位置づけているので、背支桿１側に支軸６、ガイド部及びランバーサポート４を付帯させる上で有効な構造を提供することができる。
【００４６】
さらにまた、上記構成は、基本的には支軸６を操作部７を介して斜めに傾斜させることを妨げるものではないため、例えば上記実施形態における凹所５３の部分円筒面を短くすると傾斜を誘導することができ、或いは半球状の凹所等であっても同様の作用を与えることができる。そして、これらはランバーサポート４を傾けることで格段の押圧効果が生じる場合等に特に有効なものとなる。
【００４７】
なお、各部の具体的な構成は、上述した実施形態のみに限定されるものではない。
例えば、図１３に示すように、ガイド部材５が一対の対向壁５１，５２の上下端を閉じた長孔５ａを有し、その対向壁５１，５２それ自体を弾性変形させて支軸６をクリックストップ部分に押し付けるように構成すると、板状の弾性体を不要にすることができる。
【００４８】
また、図１４に示すように、背凭れ３の背面に、弾性変形可能なランバー領域３１ａを有する背凭れインナーシェル３１を設け、そのランバー領域３１ａの側方にガイド部材５１の外壁を固定して支軸６を支持させるとともに、前記ランバー領域３１ａにランバーサポート４を位置づけるようにすれば、背凭れ３側に支軸６、ガイド部及びランバーサポート４を付帯させる上で有効な構造を提供することができる。
【００４９】
さらに、支軸６を操作部７を介し軸方向に移動可能としてランバーサポート４を同方向に変位させ得るように構成してもよい。ランバーサポート４は常に背骨を中心にして左右対称に押し付けることが適切とは限らないため、このような構成によりランバーサポート４を必要に応じて背凭れ３の幅方向に移動させれば、より個別具体的に着座者の要望に応えることができる。
【００５０】
その他の構成も、本発明の趣旨を逸脱しない範囲で種々変形が可能である。
【図面の簡単な説明】
【００５１】
【図１】本発明の一実施形態に係る椅子の斜視図。
【図２】同分解斜視図。
【図３】同一部破断した平面図。
【図４】同背面図。
【図５】同作用説明図。
【図６】同一部破断した側面図。
【図７】図６の要部拡大図。
【図８】同実施形態におけるガイド部材の拡大斜視図。
【図９】同実施形態における上下位置決め機構の作用説明図。
【図１０】同実施形態における操作部の取り扱い説明図。
【図１１】同実施形態におけるランバーサポートの作用説明図。
【図１２】同実施形態におけるランバーサポートの作用説明図。
【図１３】本発明の変形例を示す図。
【図１４】本発明の他の変形例を示す図。
【符号の説明】
【００５２】
３…背凭れ
４…ランバーサポート
６…支軸
７…操作部
Ｓ、Ｓ（１）、Ｓ（２）、Ｓ（３）、Ｓ（４）…サポート面
【図１】
2007130352.tif 000003
【図２】
2007130352.tif 000004
【図３】
2007130352.tif 000005
【図４】
2007130352.tif 000006
【図５】
2007130352.tif 000007
【図６】
2007130352.tif 000008
【図７】
2007130352.tif 000009
【図８】
2007130352.tif 000010
【図９】
2007130352.tif 000011
【図１０】
2007130352.tif 000012
【図１１】
2007130352.tif 000013
【図１２】
2007130352.tif 000014
【図１３】
2007130352.tif 000015
【図１４】
2007130352.tif 000016